(57)【特許請求の範囲】
【請求項１】
取引の操作を行うための操作手段と、操作画面を表示する表示手段と、取引における各操作の制限時間を設定し、前記制限時間をカウントして、前記制限時間内に取引操作が完了しない場合は取引を終了する制御を行う制御手段とを備え、取引を自動で行う自動取引装置において、
前記制御手段は、前記表示手段の操作画面に取引操作を促す表示として、
前記制限時間の残り時間が所定の値となった時、取引操作のための操作キーを前記表示手段の操作画面に強調表示させることを特徴とする自動取引装置。
【請求項２】
前記制御手段は、取引における各操作の制限時間を設定し、前記制限時間をカウントして、前記表示手段の操作画面に前記制限時間の残り時間を表示させることを特徴とする請求項１記載の自動取引装置。
【請求項３】
前記制御手段は、前記制限時間の残り時間が所定の値となった時、前記表示手段の操作画面に前記制限時間の残り時間を表示させることを特徴とする請求項２記載の自動取引装置。
【請求項４】
前記制御手段は、取引における各操作の制限時間を延長するための延長キーを前記表示手段の操作画面に表示させ、前記操作手段により前記延長キーの入力操作がされることにより、前記制限時間を延長させることを特徴とする請求項１〜３何れかに記載の自動取引装置。
【請求項５】
前記制御手段は、前記制限時間の残り時間が所定の値となった時、前記延長キーを前記表示手段の操作画面に表示させることを特徴とする請求項４記載の自動取引装置。
【発明の詳細な説明】
【技術分野】
【０００１】
この発明は、金融機関等に配置され、顧客との取引を自動で行う自動取引装置に関し、特に、顧客が取引操作を行う操作画面表示に関する。
【背景技術】
【０００２】
従来の自動取引装置として、例えば「習熟度データに対応する複数の操作監視時間データを予め設定し、記憶部に格納する。そして、タイマと時間比較手段にて顧客の操作時間を算出し、かつ操作時間が所定の比較時間内であればカウンタに置数する。習熟度判定手段はカウンタのカウント値にて習熟度が向上したか否かを判定し、この判定で習熟度データ選定手段が対応する習熟度データを選び、このデータを記録制御手段を介して取引カードに記録する。その後は取引カードの習熟度データに対応する操作監視時間を選定する。」ようにしたものが提案されている（例えば、特許文献１参照）。
【０００３】
【特許文献１】特開平５−６２０５２号公報（要約、図１）
【発明の開示】
【発明が解決しようとする課題】
【０００４】
しかしながら、従来の自動取引装置は、取引に関する確認・入力等の操作を文言の表示又は音声により促すものであった。また、顧客は各取引操作毎に設けられた制限時間の残り時間が不明であり、必要に応じて制限時間を延長することができない。このため、顧客は各取引操作毎に設けられた制限時間内に操作を終えることができない場合があり、タイムアウトとして取引が強制的に終了する、という問題点があった。
【課題を解決するための手段】
【０００５】
この発明に係る自動取引装置においては、取引の操作を行うための操作手段と、操作画面を表示する表示手段と、取引における各操作の制限時間を設定し、制限時間をカウントして、制限時間内に取引操作が完了しない場合は取引を終了する制御を行う制御手段とを備え、制御手段は表示手段の操作画面に取引操作を促す表示として、制限時間の残り時間が所定の値となった時、取引操作のための操作キーを表示手段の操作画面に強調表示させるものである。
【発明の効果】
【０００６】
この発明は、表示手段の操作画面に取引操作を促す表示をさせることにより、顧客が各取引操作毎に設けられた制限時間内に操作を終えることができないことによるタイムアウトを減少させることができる。
【発明を実施するための最良の形態】
【０００７】
実施の形態１．
図１はこの発明における自動取引装置の構成を示すブロック図である。
図１において、自動取引装置１には、自動取引の制御を行う制御手段である中央処理装置２を備え、中央処理装置２にはメモリ３が接続され自動取引装置１の各構成部を制御するプログラムの格納及び取引のためのデータを記憶する。また、メモリ３にはプログラムや取引記録又はログを記憶するための外部記憶装置としてＨＤＤ４、ＦＤＤ５が接続されている。
さらに、自動取引装置１には、顧客が挿入したカードに記録されている情報を読み取るカードリーダ部６、顧客が挿入した通帳に記録されている情報を読み込み又は書き込みし取引の内容を当該通帳に印字する通帳記帳部７、取引の内容を明細票に印字して顧客に排出する明細票印字部８、金融機関の控えとなるジャーナル用紙に取引の内容を印字して取引内容を記録するジャーナル印字部９、顧客の投入した紙幣を認識して紙幣の預かり又は請求金額の紙幣を計数して顧客に支払いを行う紙幣入出金部１０、顧客の投入した硬貨を認識して硬貨の預かり又は請求金額の硬貨を計数して顧客に支払いを行う硬貨入出金部１１、金融機関等の係員が必要に応じて自動取引装置１を制御するための指示の入力する内部操作部１２、操作画面を表示する表示手段である操作表示部１３と、取引の操作を行うための操作手段である顧客操作部１４を備えており、それぞれ中央処理装置２と接続されている。また、顧客操作部１４はタッチパネルを有し、操作表示部１３の操作画面の上に配置され、操作画面に表示される操作キー等を指等により押下することで入力操作を行う。
さらに、自動取引装置１には、通信の制御を行う通信制御部１５を備え、通信制御部１５はネットワーク２０を介し、中央処理装置２と取引をコントロールするホスト２１とを接続する。ホスト２１は、自動取引装置１から送信される取引データの処理を行って取引を実行する。
【０００８】
次に、操作表示部１３に表示される取引の操作画面と動作について図２及び図３により説明する。
図２はこの発明の実施の形態１における確認画面又は顧客入力画面を示す図、図３はこの発明の実施の形態１における操作残り時間表示及び操作時間延長キーを表示した確認画面又は顧客入力画面を示す図である。
図２において、取引中に操作表示部１３に表示される確認画面３０及び顧客入力画面３１には、取引の情報表示又は入力操作等を行う取引表示３２と、操作キーである確認キー３３及び取消キー３４が表示されている。
中央処理装置２は、各取引操作に制限時間を設け、当該取引操作におけるタイムアウトまでの残り時間が所定の値になった場合には、図３に示すように、操作時間延長キー３６と、当該取引操作におけるタイムアウトまでの残り時間を表示する操作残り時間表示３５を表示させ、取引操作を行う顧客へタイムアウトまでの残り時間を知らせるとともに、操作時間延長キー３６を表示させ、顧客により操作時間延長キー３６が押下されるとタイムアウトまでの残り時間に所定の時間を加算し、タイムアウトまでの残り時間を延長する。
尚、操作時間の延長操作には制限回数を設け、顧客による延長回数が制限回数を越えた場合は、操作時間延長キー３６の表示を削除し延長操作を制限する。
顧客が制限時間内に確認キー３３の押下又は取引操作の入力が完了した場合は、取引処理又は他の操作画面に移行し、顧客により制限時間内に取消キー３４が押下された場合は取引を終了する。
また、顧客が制限時間内に操作を終えることができない場合は、タイムアウトとして強制的に取引を終了させる。
このような動作処理の詳細を図４により説明する。
【０００９】
図４はこの発明の実施の形態１における動作処理を示す動作処理マトリクスである。
本実施の形態１において、例えば、各取引操作の制限時間を６０秒、タイムアウトまでの残り操作時間を知らせる時間が１０秒、操作時間延長キー３６が押下されると延長される操作時間を１０秒とする。
図４において、発生イベントの確認キー押下は確認キー３３が押下されると発生するイベント（イベントＥ１）、取消キー押下は取消キー３４が押下されると発生するイベント（イベントＥ２）、入力完了は顧客の入力が完了すると発生するイベント（イベントＥ３）、残り操作時間１０秒はタイムアウトまでの操作時間が残り１０秒になると発生するイベント（イベントＥ４）、操作時間延長キー押下は操作時間延長キー３６が押下されると発生するイベント（イベントＥ５）、タイムアウトは取引操作時間内に操作を終えることができない時に発生するイベント（イベントＥ６）である。
さらに、状態ａ１は、図２のように操作表示部１３に確認画面３０を表示し、操作残り時間表示３５及び操作時間延長キー３６が表示されていない状態であり、状態ａ２は、図３のように操作表示部１３に確認画面３０を表示し、操作残り時間表示３５及び操作時間延長キー３６が表示されている状態を示す。状態ｂ１は、図２のように操作表示部１３に顧客入力画面３１を表示し、操作残り時間表示３５及び操作時間延長キー３６が表示されていない状態であり、状態ｂ２は、図３のように操作表示部１３に顧客入力画面３１を表示し、操作残り時間表示３５及び操作時間延長キー３６が表示されている状態をそれぞれ示ており、各状態とも発生イベントの待ち状態である。
【００１０】
まず、顧客が取引を開始すると、状態ａ１を表示し、確認画面３０での取引操作時間６０秒をカウントする。顧客がタイムアウト前に確認キー３３を押下（イベントＥ１）すると状態ｂ１に移行し、取消キー３４を押下すると（イベントＥ２）取引を終了する。タイムアウトまでの残り時間が１０秒（イベントＥ４）となると、状態ａ２に移行する。取引開始から６０秒経過するとタイムアウトとなり（イベントＥ６）、取引を終了する。
【００１１】
上記状態ａ１から状態ａ２に移行した場合には、操作残り時間表示３５にタイムアウトまでの残り時間を表示する。顧客が操作時間延長キー３６を押下すると（イベントＥ５）タイムアウトまでの残り時間を１０秒加算するとともに、延長回数をカウントし、再び、状態ａ２に移行する。上記操作を繰り返し、延長回数が所定の制限回数と等しくなった場合、状態ａ２の確認画面３０より操作時間延長キーを削除し、顧客が延長操作を行えないよう操作を制限する（図示せず）。状態ａ２においてタイムアウト前に顧客が確認キー３３を押下（イベントＥ１）すると状態ｂ１に移行し、取消キー３４を押下すると（イベントＥ２）取引を終了する。操作残り時間を経過するとタイムアウトとなり（イベントＥ６）、取引を終了する。
【００１２】
上記状態ａ１から状態ｂ１に移行した時、状態ｂ１を表示し顧客入力画面３１での取引操作時間６０秒をカウントする。タイムアウト前に顧客が取引操作を完了（イベントＥ３）すると取引処理等に移行し、取消キー３４を押下すると（イベントＥ２）取引を終了する。タイムアウトまでの残り時間が１０秒（イベントＥ４）となると、状態ｂ２に移行する。取引開始から６０秒経過するとタイムアウトとなり（イベントＥ６）、取引を終了する。
【００１３】
上記状態ｂ１から状態ｂ２に移行した場合には、操作残り時間表示３５にタイムアウトまでの残り時間が表示される。顧客が操作時間延長キー３６を押下すると（イベントＥ５）タイムアウトまでの残り時間を１０秒加算するとともに、延長回数をカウントし、再び、状態ｂ２に移行する。上記操作を繰り返し、延長回数が所定の制限回数と等しくなった場合、状態ｂ２の顧客入力画面３１より操作時間延長キーを削除し、顧客が延長操作を行えないよう操作を制限する（図示せず）。状態ｂ２においてタイムアウト前に顧客が取引操作を完了（イベントＥ３）すると取引処理等に移行し、取消キー３４を押下すると（イベントＥ２）取引を終了する。操作残り時間を経過するとタイムアウトとなり（イベントＥ６）、取引を終了する。
【００１４】
以上のように、タイムアウトまでの残り時間が所定の時間になった場合、タイムアウトまでの具体的な残り操作時間の確認ができるとともに、取引操作の制限時間の延長が可能となり、顧客が残り操作時間が不明という意識から発生する誤操作の誘発を防ぎ、操作になれていない顧客の操作タイムアウトの防止ができ、再び取引をやり直す顧客が減少し、自動取引装置の稼働率が上がる。
【００１５】
尚、本実施の形態１では、操作時間の延長操作に制限回数を設ける場合を説明したが、これに限るものではなく、操作時間の延長に操作回数の制限を設けなくてもよい。
【００１６】
また、本実施の形態１では、所定のタイムアウトまでの残り時間が経過したとき、操作残り時間表示３５及び操作時間延長キー３６を共に表示する場合を説明したが、これに限るものでなく、取引操作開始と同時に表示してもよく、操作残り時間表示３５又は操作時間延長キー３６何れかの表示のみでも良い。
【００１７】
また、本実施の形態１では、操作画面として確認画面３０又は顧客入力画面３１について説明したが、これに限らず、取引の操作を行う他の操作画面でも本発明は適用される。
【００１８】
実施の形態２．
図５はこの発明の実施の形態２における確認画面又は顧客入力画面の操作キーを示す図である。
実施の形態１ではタイムアウトまでの残り時間が１０秒（イベントＥ４）となると操作残り時間表示３５に、タイムアウトまでの残り時間を表示したが、本実施形態では、操作可能な操作キーの強調表示を行う。
【００１９】
図５（ａ）に示すように、操作可能な操作キーの横、例えば、確認キー３３、取消キー３４の横に、矢印４０ａ、矢印４０ｂを表示し、点滅又は色の変化による強調表示を行う。
また、確認キー３３、取消キー３４自体を点滅表示させることで強調表示を行っても良い。矢印４０ａ、矢印４０ｂの点滅と確認キー３３、取消キー３４自体の点滅表示は共に行っても良い。さらに、タイムアウトまでの残り時間の経過とともに段階的に点滅又は色の変化の周期を短くしても良い。
【００２０】
また、図５（ｂ）に示すように操作可能な操作キー、例えば、確認キー３３、取消キー３４の大きさをタイムアウトまでの残り時間の経過とともに段階的に大きくすることで強調表示を行っても良い。
【００２１】
また、操作可能な操作キーの色の濃度をタイムアウトまでの残り時間の経過とともに段階的に変化させる強調表示（図示せず）を行っても良い。
【００２２】
このような強調表示によっても、顧客にタイムアウトまでの残り時間が少ないことを知らせ、操作を促すことができる。さらに、操作キーの強調表示により操作性が向上し、操作になれていない顧客や弱視者・お年寄りによる取引での操作タイムアウトの防止ができ、再び取引をやり直す顧客が減少し、自動取引装置の稼働率が上がる。
【００２３】
尚、本実施の形態２では、所定のタイムアウトまでの残り時間が経過したとき、操作キーの強調表示をする場合を説明したが、これに限るものでなく、取引操作開始と同時に表示しても良い。また、前記実施の形態１においても、本実施の形態２で説明した操作キーの強調表示を行っても良い。
【図面の簡単な説明】
【００２４】
【図１】この発明における自動取引装置の構成を示すブロック図である。
【図２】この発明の実施の形態１における確認画面又は顧客入力画面を示す図である。
【図３】この発明の実施の形態１における操作残り時間表示及び操作時間延長キーを表示した確認画面又は顧客入力画面を示す図である。
【図４】この発明の実施の形態１における動作処理を示す動作処理マトリクスである。
【図５】この発明の実施の形態２における確認画面又は顧客入力画面の操作キーを示す図である。
【符号の説明】
【００２５】
１  自動取引装置、２  中央処理装置、３  メモリ、４  ＨＤＤ、５  ＦＤＤ、６  カードリーダ部、７  通帳記帳部、８  明細票印字部、９  ジャーナル印字部、１０  紙幣入出金部、１１  硬貨入出金部、１２  内部操作部、１３  操作表示部、１４  顧客操作部、１５  通信制御部、２０  ネットワーク、２１  ホスト、３０  確認画面、３１  顧客入力画面、３２  取引表示、３３  確認キー、３４  取消キー、３５  操作残り時間表示、３６  操作時間延長キー、４０ａ  矢印、４０ｂ  矢印。
【図１】
0004836563.tif 000002
【図２】
0004836563.tif 000003
【図３】
0004836563.tif 000004
【図４】
0004836563.tif 000005
【図５】
0004836563.tif 000006